(57)【特許請求の範囲】
【請求項１】
前面にドア錠本体の回動部のスリットに挿通されるスピンドルとこのスピンドルの端部が夫々が挿入される第１の凹部が設けられた前記ドア錠本体を挟んで対向して設けられた一対の駆動用アダプターとこの一対の駆動用アダプターの夫々の背面に設けられた第２の凹部とこの第２の凹部夫々に挿入係合される駆動ピンを設けてなる一対のレバーハンドルユニットとで構成されるドアノブ。
【発明の詳細な説明】
【発明の詳細な説明】
【技術分野】
【０００１】  本発明は、室内の間仕切り等のドアに使用されるドアノブに関するものであり、握り玉式のドアノブをレバー式に変更するドアノブに関するものである。
【背景技術】
【０００２】  事務所などには来客スペースや打合せスペースを確保し、事務室と区別するために間仕切りが使用されており、それらのドアには、握り玉式のドアノブが一般的に使用されている。【０００３】  この握り玉式のドアノブの従来の構成について説明すると、１はドア錠本体であり、ドア（図示せず）に装着されている。１ａは錠本体の開閉を行うための回動部のスリットである。２はドア表側に装着される第１の握り玉本体であり、２ａは、この握り玉本体２から突出し、前記スリット１ａに挿通されるように設けられたスピンドル部である。２ｃは第１の握り玉本体２から突出するように設けられた支柱部である。【０００４】  ３は、ドアの裏側に装着される第２の握り玉本体であり、前記スピンドル部２ａが前記スリット１ａを介して挿入される穴部３ａが設けられている。
４は、握り玉取付板であり、取付孔４ａを挿通する取付板固定ネジ５により、前記第１の握り玉本体２の支柱部２ｃにねじ止めされて第１の握り玉本体２は固定される。
なお、第２の握り玉本体３も、握り玉取付板４のネジ部４ｂにより取り付けられる。【０００５】  以上のように構成された従来の握り玉式のドアノブは、握り玉本体２または３を回動することで、スピンドル部２ａを回動し、錠本体１の回動部のスリット１ａを介して錠本体１の開閉を行うものである。【０００６】  なお、間仕切りなどのスペースを利用するにあたり荷物の搬入に際し、握り玉式のドアノブではドアの開閉操作に握り玉を手で握り回転させる必要があり、荷物で手が塞がっている時に、ドアの開閉が簡単に行えず、レバー式への変更要望が増えてきている。【０００７】  レバー式への変更は錠部分を含めての置き換えや、簡易的に握り玉にシリコン製のレバーをかぶせるなどの方法が提案されている。
後者の例には、技術文献１がある。
【先行技術文献】
【特許文献】
【０００８】
【特許文献１】実登３０７３９２０号
【発明の概要】
【発明が解決しようとする課題】
【０００９】  しかしながら、前述した錠部分を含めてのレバー式への置き換えは、コスト高となり、後述した握り玉にシリコン製のレバーをかぶせるものは、レバーの位置がずれてくるなどの課題を有するものであった。【００１０】  また、前述した方法には、予め、握り玉に使用される錠本体に合うようにレバーハンドルの錠の回動手段を変更したものもあるが、レバー式への置き換え作業は容易となったものの、錠本体の回動部の形状や寸法の異なるものが多種有り、予め、握り玉ドアノブの錠本体に合うレバーハンドルを多種準備することは、コスト的な課題となっていた。（比較的、汎用性の高い握り玉式のドアノブに対応するものに限定して準備されているのみであった。）
【課題を解決するための手段】
【００１１】  本発明は、前面に錠の開閉を行うドア錠本体の回動部を回動させる駆動部と背面にレバーハンドルの駆動操作を受ける受動部を設けた駆動用アダプターを錠本体とレバーハンドルユニット間に前記ドア錠本体を挟んで対向して一対配置する構成としたものである。
【発明の効果】
【００１２】  本発明は、前面にドア錠本体の回動部を回動させる駆動部を、背面にレバーハンドルの駆動操作を受ける受動部を設けた駆動用アダプターをドア錠本体とレバーハンドルユニット間に夫々前記ドア錠本体を挟んで対向して一対設けたことでレバーハンドルユニットを錠本体の回動部と関係なく予め作製することができ、両者に合う駆動用アダプターを用いることで容易にレバーハンドルへの交換を安価に行えるものである。【００１３】なお、上記構成の一対の駆動用アダプターの駆動部の前面に設けた夫々の凹部にドア錠本体の回動部のスリットに挿通されるスピンドルの端部が夫々挿入される構成として前記ドア錠本体の開閉機構を形成したものである。【００１４】  また、前記駆動用アダプターの前記受動部に係合して回動操作する駆動ピンを設けたレバーハンドルユニットを準備することで、夫々のレバーハンドルユニットは駆動用アダプターを介して錠本体の開閉操作を行うことになり、安価で汎用性に富むレバーハンドルユニットの提供を可能とするものである。
【図面の簡単な説明】
【００１５】
【図１】本発明に係るレバーハンドル式のドアノブの分解斜視図
【図２】従来の握り玉式のドアノブの分解斜視図
【発明を実施するための形態】
【００１６】  本発明の一実施の形態を図１のレバーハンドル式のドアノブの分解斜視図により説明する。なお、従来技術と同一部分は同一番号を付して説明を省略して説明する。
【００１７】    同図によると、１０は駆動用アダプターであり、錠本体１を中心にして対向して一対設けられている。この一対の駆動用アダプター１０の夫々には前面（錠本体１側）に第１の凹部１０ａが設けられ、ドア錠本体１の回動部のスリット１ａに挿通されるスピンドル１０ｂの端部が挿入され、前記一対のドアノブ変換用アダプター１０の夫々の第１の凹部１０ａとスピンドル１０ｂとで駆動部が構成されている。
【００１８】  １０ｃは夫々の駆動用アダプター１０の背面に設けられた受動部を構成する第２の凹部であり、１１及び１２はドアの両側に夫々取り付けられるレバーハンドルユニットであり、１１ａは、レバーハンドルユニット１１に組み込まれた前記第２の凹部１０ｃ（図示せず）に挿入係合される駆動ピンである。
【００１９】  同様にレバーハンドルユニット１２側にも駆動ピン１２ａ（図示せず）が設けられ、このレバーハンドルユニット１２側の駆動用アダプター１０の第２の凹部１０ｃに挿入係合される構成となっている。
【００２０】    １３は第１のレバーベースであり、１５は第２のレバーベースであり、第１のネジ１４によってこの第１のレバーベース１３と第２のレバーベース１５はドア（図示せず）に装着されたドア錠本体１を挟んで固定されている。
【００２１】    なお、１６は第２のネジであり、レバーハンドルユニット１１をレバーベース１３にレバー１１ｂの操作に伴い前記駆動ピン１１ａが回動可能なように固定している。
【００２２】  また、１７は第２のレバーベース１５をレバーハンドルユニット１２に前記レバー１２ｂの操作に伴い前記駆動ピン１２ａ（図示せず）が回動可能なように固定する第３のネジであり、１８は一対の駆動用アダプター１０とスピンドル１０ｂを回転可能なように一体化する駆動用アダプター固定ネジである。
【００２３】    以上のように構成されたドアノブは、レバーハンドルユニット１１又は１２のレバー１１ｂ又は１２ｂを回動操作することで、駆動ピン１１ａ又は１２ａによって駆動用アダプター１０を回動させ、スピンドル１０ｂによりドア錠本体１の回動部を回動させて、ドアの開閉のロックを解除するものである。
【００２４】  前述の説明で明らかなように駆動用アダプター１０の背面側の受動部は、レバーハンドルユニット１１の駆動ピン１１ａとの関係で一定の構成とすることができるが、前面側の駆動部は、ドア錠本体１の回動部１ａとの関係によってその構成を変えることで、レバーハンドルユニットの構成を変更することなく、ドア錠本体１の構成に併せて駆動用アダプター１０を変更するのみで、ドアノブを握り玉式からレバー式に変更することができる。
【産業上の利用可能性】
【００２５】  以上の本実施の形態では、スピンドル１０ｂをドア錠本体１の回動部のスリット１ａに挿入されるものとして説明したが、ドアノブ変換用アダプター１０前面側の駆動部の中央を角柱状の柱とすることで、ドア錠本体の可動部が角穴の握り玉式のドアノブのレバー式への変更にも駆動用アダプターの変更のみで対応でき、提供するレバーハンドルユニットを汎用性のあるものとすることができるものである。
【符号の説明】
【００２６】１      錠本体
１ａ    スリット
１０    駆動用アダプター
１０ａ  第１の凹部
１０ｂ  スピンドル（１０ａとで駆動部を構成）
１０ｃ  第２の凹部（受動部）
１１    レバーハンドルユニット
１１ａ  駆動ピン
【図１】
0006945118.tif 000002
【図２】
0006945118.tif 000003